(57)【要約】【課題】森林伐採の丸太より熱変質の少ない木酢液を抽出する方法とその設備。【解決手段】丸太を所定寸法に切断し、両小口を炉の外に出し、中央部をその下部にある燃焼室の木材燃焼により加熱し、両小口より木酢液を抽出する。丸太材は水平平行に炉の内に順次連続供給され中央部が消失した材は燃焼室に落ち他の材の過熱用燃料となる。連続供給装置はウオーキングビーム方式でタイマー駆動される。また丸太を切断に加え片方の小口に穴あけをし、穴の中に加熱手段を挿入し、内部加熱により木酢液を外部に押し出す。【選択図】図１
2013177581.tif 000002
【特許請求の範囲】
【請求項１】
森林を伐採した丸太を所定寸法に切断した材の両端小口部以外を外部より加熱し、木酢液を前記両端小口部より抽出する方法。
【請求項２】
前記丸太を所定寸法に切断かつ切断小口の片面に穴あけし、前記穴に過熱手段を挿入し、前記丸太を内部より過熱し、木酢液を抽出する方法。
【請求項３】
連続燃焼炉であって、前記両端小口部は燃焼室外に出るように所定長さに切断された前記材を、炉内に入り口より奥に向かって略直角平行に並べ、前記材の両端小口下部に設置された樋と、前記材の中央下部に設置された燃焼室と、該炉壁と前記樋の間に前記材を炉の入り口より奥に送り込む手段と、を具備し、前記燃焼室に置かれた燃焼物により前記並べられた材の中央部が外部加熱され、木酢液が前記両端小口より前記樋に流れ出し、その後一部の前記並べられた材の中央部が焼失し、該両端部が前記燃焼室に落ち、他の前記並べられた材の加熱材料となり、前記材の焼け落ちて作られたスペースを、前記送り込む手段により、前記並べられた炉の入り口側の材により埋め、前記並べられた材を連続供給かつ連続燃焼させ、その熱による外部加熱により木酢液を前記両端小口から樋に取り出す請求項１に記載の木酢液の抽出方法を実施可能な連続燃焼炉。
【発明の詳細な説明】
【技術分野】
【０００１】  利用価値の低い小径間伐材や林地残材など廃棄される木材より木酢液を抽出する方法と、抽出設備に関する。
【背景技術】
【０００２】  従来木酢液は炭製造の副産物として製造され、木酢液抽出のみの専用設備はあまり考えられていない。しかし、木酢液の成分には医薬、化学材料としての優れた原料が含まれており、抽出専用設備も必要である。
ここで、利用価値の低い小径間伐材や林地残材より木酢液を抽出できれば、現在廃棄されている材に価値が高まり、また林業関係者が伐採現場近くの簡易な設備で抽出し、木酢液を、販売すれば新しい経済の流れが生まれる。【０００３】  現在、効率良く木酢液を抽出する技術は、文献１のマイクロ波による加熱方法があり、木材の内部より発熱させ、木酢液を低温である外側に押し出す方法である。
この技術は、従来の炭製造の外部加熱による抽出と違い木酢液の熱による変質などが少なく、価値の高い原料が混入している木酢液が抽出される。
しかし、上記の設備および、運転は管理の行き届いた工場での仕事であり、電力供給、電波漏れ防止など、林業の現場近くで、林業作業者による運転操業には難点がある。【０００４】
【文献１】
特許  １９２８０７０号
【発明の開示】
【発明が解決しようとする課題】
【０００５】  林業関係者が、作業可能で品質の良い木酢液の抽出ができることが課題であり、伐採地を移動する場合には、設備も移動できることも課題である。
【課題を解決するための手段】
【０００６】  上記課題を解決するために従来の外部加熱による木酢液抽出方法で、木酢液が外部の熱によって変質しないように、木酢液の出口が外部熱の影響を受けない場所で抽出すればよい。したがって、材を所定寸法に切断し、両端小口部は外部加熱の影響を受けないようにし、材の両端小口部以外を加熱し、木酢液を両端小口より抽出する方法である。【０００７】  この方法は、両端部が燃焼室外に出るように所定長さに切断された材を、炉内に入り口より奥に向かって略直角平行に並べ、材の両端小口下部に設置された樋と、材の中央下部に設置された燃焼室と、その炉壁と樋の間に、材を炉の入り口より奥に送り込む手段を備え、燃焼室に置かれた燃焼物により並べられた材の中央部が外部加熱され、木酢液が両端小口より樋に流れ出す。
その後一部の材の中央部が焼失し、材の両端部が燃焼室に落ち、他の材の加熱材料となる。材の焼け落ちて作られたスペースは、材を炉の入り口より奥に送り込む手段により、炉の入り口側の材により埋められ、材は連続供給かつ連続乾燥連続燃焼し、木酢液を両端小口より樋に取り出す連続燃焼炉により解決できる。【０００８】  また内部加熱による抽出方法として、切断された材の片側小口より穴をあけ、その穴の中に、その穴を加熱する手段を挿入し、材の内部より過熱する方法により解決できる。
【発明の効果】
【０００９】  材を自動連続運転で燃焼させ木酢液を抽出する設備によって、他の燃料を使用することなく、特別の機械の運転技術も必要でなく、木酢液生産のための人件費を節約でき、現在捨てられている材に価値がでることである。連続燃焼の熱を利用し蒸気を発生させれば、葉や樹皮から精油を抽出でき、また伐採丸太を所定寸法の切断のみで、ハウス栽培の暖房燃料に利用できれば、農家が燃料として材を利用できるのみならず木酢液の製造もできる。
【発明を実施するための最良の形態】
【００１０】  以下本発明の実施の形態の一例を図１−５に基づいて説明する。
木酢液の抽出に使用する材１は間伐材や、林地残材を使用し、長さは燃焼室２の幅より長くし、両端小口の下に樋３を通す（図１）。材は略水平で炉の入り口より奥に向かい略直角平行に並べられ材の下部に設けられた燃焼室２で焼却物を燃焼させる（図２）。その炎により、材の表面より外部加熱させれば木酢液は材の内部より押され両端小口より樋によって集められる。燃焼が進むと材の中央が焼失し、材の両端が炉の中に落ち込み他の材の加熱燃料となる。【００１１】  並べられた材を炉の奥に供給する手段５は、樋３と炉壁４の間に設置され、材の両端を支え、材を持ち上げクランク６による円運動で奥に送り込むウオーキングビーム装置（図２）またはチェーンコンベアー７を利用する（図３）。炉の入り口に予備の材を整列させておき供給装置により炉の奥に送る時、焼け落ちてない材は奥に送られ奥が詰まった状態でスリップし（図３）、材の中央部が焼失し材の両小口部が燃焼室２内に落ち込む、その空白部は上記の装置により入り口側の材が送られスペースが埋まる。【００１２】  燃焼を連続させるために（図５）の様に連続炉の奥に材の供給する手段５より外れて、燃焼室にスロープ２０で滑り落ちる空間を作り、炉床の燃焼物に常時燃料を供給し燃焼が続くようにするのも良い。スロープ上の材が焼却してしまうまで材の供給装置上の材はスリップし、スロープ上には落ちない。【００１３】  タイマーを設定し間欠運動にすれば連続燃焼炉となり省力化になる。動力源はバッテリーを利用し、太陽電池で充電すれば電源を引かなくてもよい。【００１４】  なを、材の加工を切断に加え、孔を開け木酢液の通り道を作ることと、階段上で円錐の凸凹のプレスで両小口を押さえ年輪の間をせん断させ木酢液を通りよくするのも効果がある。樋は水冷ジャケットにすると蒸気になった木酢液を結露させ回収し良くなる。【００１５】  内部過熱方式による木酢駅抽出方法とその設備は、材の片側小口より穴をあけ、その穴より内部加熱を行なう方法で、電気設備のない場所では、木材の焼却により発生する熱で、金属塊を加熱し、その金属塊を前記穴に挿入し穴の入り口を密閉する。金属塊に蓄熱された熱は、木材の内部を過熱し、木酢液は内部より発生し熱の低い外部に押し出される。冷えた金属塊を加熱した金属塊と何度か交換し、抽出のできなくなった材は金属塊の過熱用に使用する。【００１６】  電気設備の有る場所では、金属塊の代わりに電気ヒーターを挿入する。（図４）は電気ヒーターによる内部加熱の設備の一例で、穴をあけた材１０と内部に挿入された電気ヒーター１１と穴の入り口を密閉する蓋１２とスクリーン１３で木酢駅はスクリーン下に集められる。
【図面の簡単な説明】
【００１７】
【図１】木酢液抽出用の連続燃焼炉の断面である。
【図２】材の連続供給用のウオーキングビーム装置である。
【図３】材の連続供給用のチェーンコンベアー装置である。
【図４】電気ヒーターを使用した内部過熱による木酢液抽出設備。
【図５】炉床の燃焼物に常時燃料を供給するスロープ
【符号の説明】
【００１８】    １      木酢液を抽出する材
２      燃焼室
３      樋
４      炉壁
５      材を炉の奥に供給する手段
６      ウオーキングビームのクランク
７      チェーンコンベアー
８      水冷ジャッケト
１０    内部に穴を明けた材
１１    電気ヒーター
１２    密閉用蓋
１３    スクリーン
２０    スロープ
【図１】
2013177581.tif 000003
【図２】
2013177581.tif 000004
【図３】
2013177581.tif 000005
【図４】
2013177581.tif 000006
【図５】
2013177581.tif 000007